(57)【要約】【課題】  この発明の課題は、自動給紙装置式の画像読取装置において、写真などの表面が非常に平滑な原稿を読み取る場合でも、原稿の一部が局所的に過度にコンタクトガラスに密着し、原稿反射光の干渉縞（ニュートンリング）により読み取られた画像にシミのような画像が発生することを防止し、正確で高品質な画像読み取りを行える画像読取装置を提供することにある。【解決手段】  原稿の読み取り部分にすりガラス状に加工したコンタクトガラスであるすりガラス部を備え、前記すりガラス状に加工したコンタクトガラスであるすりガラス部に原稿を押し当てるような原稿付圧手段を備えるように構成する。前記原稿付圧手段として、白基準と原稿押さえを兼ねた原稿ガイド板をバネにより付圧し、すりガラス状に加工したコンタクトガラスであるすりガラス部と原稿が離れないように構成するようにしても良い。【選択図】            図１
2008048019.tif 000002
【特許請求の範囲】
【請求項１】
原稿の画像を読み取る自動給紙式の画像読取装置において、
原稿の読み取り部分にすりガラス状に加工したコンタクトガラスであるすりガラス部を備え、
前記すりガラス状に加工したコンタクトガラスであるすりガラス部に原稿を押し当てるような原稿付圧手段を備える、
ことを特徴とする画像読取装置。
【請求項２】
原稿の画像を読み取る自動給紙式の画像読取装置において、
前記原稿付圧手段として、白基準と原稿押さえを兼ねた原稿ガイド板をバネにより付圧し、すりガラス状に加工したコンタクトガラスであるすりガラス部と原稿が離れないように構成する、
ことを特徴とする請求項１に記載の画像読取装置。
【請求項３】
原稿の画像を読み取る自動給紙式の画像読取装置において、
前記原稿付圧手段として、白基準と原稿押さえを兼ねた原稿ガイドローラをバネにより付圧し、すりガラス状に加工したコンタクトガラスであるすりガラス部と原稿が離れないように構成する、
ことを特徴とする請求項１に記載の画像読取装置。
【発明の詳細な説明】
【技術分野】
【０００１】
この発明は、原稿の画像をＣＣＤなどの撮像素子により電子化して読み取る画像読取装置に関し、原稿として写真などの非常に平滑な表面を有する原稿の画像を読み取る場合に、原稿のガイドの役割をするコンタクトガラスに原稿が局部的に密着し、原稿反射光の干渉縞（ニュートンリング）により発生するシミのような画像を発生しないようにする画像読取装置を実現する技術に関するものである。
【背景技術】
【０００２】
自動給紙装置を備えた画像読取装置の場合、図４に示すように、原稿積載台に置かれた原稿５５を、ピックローラ５２のような用紙ピック手段により、１枚ずつ原稿５５をピックし、用紙搬送ローラ５４により装置内部に搬送する。
【０００３】
搬送されてきた原稿５５は、図４の場合、両面同時読取の画像読取装置であるので、2枚のコンタクトガラス５０の間を通過するようになっており、このとき、原稿５５の画像読み取り部にランプ５１により光を照射し、その反射光を撮像素子５３で受光することによって、原稿５５の画像を読み取るようになっている。
【０００４】
図４の場合は、両面同時読取の画像読取装置であるので撮像素子５３を含む光学ユニットが２つあるが、片面読取の画像読取装置の場合には光学ユニットは１つとなる。
【０００５】
ここで、コンタクトガラス５０の役割としては、紙粉等の埃が光学ユニット内へ進入することを防ぐことや、原稿５５を排出側の用紙搬送ローラ５４まで送るガイドの役割をすることや、ユーザが高電圧ランプに触れないようにすることなどがあり、自動給紙装置を備えた画像読取装置には必要な部品である。
【０００６】
しかし、原稿５５が写真のような表面が非常に平滑な場合、図５に示すように、このコンタクトガラス５０に原稿５５の一部が局部的に過度に密着し、原稿反射光の干渉縞（ニュートンリング）により原稿５５の読み取られた画像に、図６に示すような、リング状のシミのような画像が読み取られるという問題があった。
【０００７】
このような問題を解決するため、原稿を上からコンタクトガラスに押し当てるカバーに所定の位置までしか原稿を押せないような構造として、原稿が過度に密着するのを防ぐ装置が考案されている（特許文献１を参照）。
【０００８】
しかしこのような装置は、フラットベッド型のスキャナには使用できるが、自動給紙装置を備えた図４のような構成のスキャナには使用することができないという問題があった。
【０００９】
【特許文献１】特開平１１−２４１８０号公報
【発明の開示】
【発明が解決しようとする課題】
【００１０】
前記のごとく、従来の技術では次のような問題点がある。
【００１１】
自動給紙装置式の画像読取装置では、原稿積載台に置かれた原稿を、ピックローラなどの用紙ピック手段により、原稿を１枚ずつピックし、装置本体内に搬送する。
【００１２】
装置本体内に搬送されてきた原稿は用紙搬送ローラにより、さらに装置内部に搬送されて、搬送路のガイドの役割もしているコンタクトガラスの上を通過していき、原稿の画像を読み取るために、ランプにより画像読み取り部に光を照射し、その反射光を撮像素子で受光して電子化して読み取るようにしている。
【００１３】
コンタクトガラスは搬送路のガイド以外にも、紙粉等の埃が光学ユニットに進入しないようにするなどの役割をもっており、必要な部品であるが、原稿が写真などの表面が非常に平滑なものの場合、このコンタクトガラスに原稿の一部が局部的に過度に密着し、原稿反射光の干渉縞（ニュートンリング）により、読み取られた画像にシミのような画像が読み取られる場合があるという問題があった。
【００１４】
このような問題を解決するため、原稿を上からコンタクトガラスに押し当てるカバーに所定の位置までしか原稿を押せないような構造として、原稿が過度に密着するのを防ぐ装置が考案されているが、このような装置はフラットベッド型のスキャナには使用できるが、自動給紙装置式の画像読取装置には使用できなかった。
【００１５】
この発明の課題は、自動給紙装置式の画像読取装置において、写真などの表面が非常に平滑な原稿を読み取る場合でも、原稿の一部が局所的に過度にコンタクトガラスに密着し、原稿反射光の干渉縞（ニュートンリング）により読み取られた画像にシミのような画像が発生することを防止し、正確で高品質な画像読み取りを行える画像読取装置を提供することにある。
【課題を解決するための手段】
【００１６】
前記の問題点を解決するために、この発明では次に示す手段を取った。
【００１７】
原稿の読み取り部分にすりガラス状に加工したコンタクトガラスであるすりガラス部を備え、前記すりガラス状に加工したコンタクトガラスであるすりガラス部に原稿を押し当てるような原稿付圧手段を備えるように構成する。
【００１８】
前記原稿付圧手段として、白基準と原稿押さえを兼ねた原稿ガイド板をバネにより付圧し、すりガラス状に加工したコンタクトガラスであるすりガラス部と原稿が離れないように構成するようにしても良い。
【００１９】
前記原稿付圧手段として、白基準と原稿押さえを兼ねた原稿ガイドローラをバネにより付圧し、すりガラス状に加工したコンタクトガラスであるすりガラス部と原稿が離れないように構成するようにしても良い。
【発明の効果】
【００２０】
この発明により、以下に示すような効果が期待できる。
【００２１】
自動給紙装置式の画像読取装置において、読み取り原稿が写真などの表面が非常に平滑で、原稿の搬送時にコンタクトガラスに局部的に過度に密着してしまい、原稿反射光の干渉縞（ニュートンリング）により、読み取られた画像にシミのような画像がでるような原稿を読み取る場合でも、原稿の読み取り部分をすりガラス状に加工することによって、反射光が散乱し、原稿反射光の干渉縞（ニュートンリング）の発生を抑えることができ、正確で高品質な画像読み取りを行うことができるようになる。
【発明を実施するための最良の形態】
【００２２】
この発明は、次に示す実施の形態を取った。
【００２３】
原稿積載台に置かれた原稿を、ピックローラなどのピック手段により１枚ずつ装置内部に取り込み、原稿画像を電子化して読み取る撮像素子を含む光学ユニットの方へ搬送するようコンタクトガラス上を通過していくような構造とし、このコンタクトガラスの原稿の読み取り部分をすりガラス状に加工した構造とし、前記すりガラス状に加工した画像の読み取り部にあたるコンタクトガラスに原稿を押し当てるような原稿付圧手段を備えるように構成する。
【００２４】
これにより、原稿が写真のような表面が非常に平滑で原稿反射光による干渉縞（ニュートンリング）によるシミのような画像が発生するようなものであっても、原稿の画像を読み取る部分において、コンタクトガラスがすりガラス状になっていることで、ランプによる照射光が散乱して、原稿反射光による干渉縞（ニュートンリング）が発生せず、また、すりガラス状に加工された部分と原稿が離れると、すりガラス面で原稿反射光が屈折し画像がボケてしまうが、原稿をすりガラス状にした部分のコンタクトガラスに押し当てる原稿付圧手段をもつことで、正確に原稿画像を読み取ることができるようになっている。
【００２５】
前記原稿付圧手段として、白基準と原稿押さえを兼ねた原稿ガイド板をバネにより付圧し、すりガラス状に加工したコンタクトガラスと原稿が離れないように構成するようにしても良い。
【００２６】
これにより、非常に簡単な構造で、原稿の画像読み取りのための白基準の設定を行えるとともに、バネにより付圧をかけられた原稿ガイド板により原稿がコンタクトガラスに押し当てられ、すりガラス面で原稿反射光が屈折し画像がボケてしまうこともないようにできる。
【００２７】
前記原稿付圧手段として、白基準と原稿押さえを兼ねた原稿ガイドローラをバネにより付圧し、すりガラス状に加工したコンタクトガラスと原稿が離れないように構成するようにしても良い。
【００２８】
これにより、原稿の画像読み取りのための白基準の設定を行う場合には、原稿ガイドローラにかかる付圧を高め、ローラを潰すことで白基準の設定のための領域を作り出し、通常は原稿が上記原稿ガイド板より通過しやすく、しかも、すりガラス状に加工されたコンタクトガラスの部分に押し当てられて離れないようにすることで、正確な画像の読取が行えるようにできる。
【実施例】
【００２９】
この発明による代表的な実施例を図によって説明する。なお、以下において、同じ箇所は同一の符号を付してあり、詳細な説明を省略することがある。
【００３０】
図１は本発明の実施例１を示す。
【００３１】
原稿積載台に置かれた原稿は、ピックアップローラなどの用紙ピック手段により１枚ずつピックされ、搬送ローラなどの搬送手段により装置内部に送られてくる。
【００３２】
送られてきた原稿は、コンタクトガラス１に沿ってさらに送られていき、原稿ガイド板２により、原稿読み取り部のすりガラス部４に読み取り面を押し当てられて、すりガラス部４から読み取り面が離れることなく、ランプ５からの照射光を受け、この反射光を撮像素子６により光電変換して原稿の画像が電子化して読み取られる
【００３３】
このようにすることで、原稿の読み取り部であるすりガラス部４により、原稿反射光による干渉縞（ニュートンリング）が発生することもなく、また、原稿がすりガラス部４から離れてしまい、原稿反射光が屈折してボケてしまうようなこともないようにしている。
【００３４】
原稿ガイド板２は、バネ３により付圧がかけられ、原稿をすりガラス部４に押し当てる役割をするとともに、原稿の画像読み取りのための白基準を作成するための領域として使用できるように構成しても良い。
【００３５】
また、図２は本発明の実施例２であるが、原稿ガイド板２の代わりに、より原稿の搬送性の良い原稿ガイドローラ７を使用して、原稿がすりガラス部４から離れないように構成しても良い。
【００３６】
このような構成によっても、原稿の読み取り面はすりガラス部４に原稿ガイドローラ７により押し当てられて離れることがなく画像がボケたり、原稿反射光による干渉縞（ニュートンリング）が発生したりすることがなく、正確な画像読取が行える。
【００３７】
また、図３に示すように、カム８をモータで回転させることで、原稿ガイドローラ７にかかる付圧を高めることで、原稿ガイドローラ７のローラ面を潰し、画像読み取りのための白基準を作成する領域を確保するようにしても良い。
【図面の簡単な説明】
【００３８】
【図１】本発明の実施例１の図である。
【図２】本発明の実施例２の図である。
【図３】原稿ガイドローラを白基準に使用する場合の説明図である。
【図４】従来の両面同時読取式画像読取装置である。
【図５】原稿反射光による干渉縞発生の説明図である。
【図６】原稿反射光による干渉縞の説明図である。
【符号の説明】
【００３９】
１：コンタクトガラス
２：原稿ガイド板
３：バネ
４：すりガラス部
５：ランプ
６：撮像素子
７：原稿ガイドローラ
８：カム
【図１】
2008048019.tif 000003
【図２】
2008048019.tif 000004
【図３】
2008048019.tif 000005
【図４】
2008048019.tif 000006
【図５】
2008048019.tif 000007
【図６】
2008048019.tif 000008